(57)【要約】【課題】当該フラワーサポータを構成する二つの部材を嵌合させた後の位置ズレを簡単な構成で防止することにより，組み立て作業効率を向上させることのできるフラワーサポータを提供すること。【解決手段】本体部材２０に，外周板部２２が上方に折り曲げられたときに底板部２１と略同一平面上において該底板部２１の周縁部よりも外側に突出する突出部２１ｃが形成されるように，底板部２１の周縁部から外周板部２２側に向けて形成された切り欠き２１ｂを形成している。これにより，環状部材３０の下方へのズレは，本体部材２０の突出部２１ｃによって防止される。なお，環状部材３０の上方へのズレは，本体部材２０及び環状部材３０が共に上方に拡開状に形成されていることによって防止される。【選択図】図４
2008188350.tif 000002
【特許請求の範囲】
【請求項１】
第一の多角形状に形成された底板部と，該底板部の周縁部に接続され，該周縁部から上方に折り曲げられたときに該周縁部から上方に向けて拡開状を成す複数の外周板部とを有する本体部材と，
下底が，前記本体部材の底板部と略同一形状であって，上底が，前記底板部の周縁部から上方に折り曲げられた複数の前記外周板部の横断面で形成された少なくとも前記第一の多角形状よりも拡開された第二の多角形状と略同一形状に形成された内部空間を有する環状部材と，
を備えてなるフラワーサポーターであって，
前記本体部材が，前記外周板部が上方に折り曲げられたときに前記底板部と略同一平面上において該底板部の周縁部よりも外側に突出する突出部が形成されるように，前記底板部の周縁部から前記外周板部側に向けて形成された切り欠きを有することを特徴とするフラワーサポーター。
【請求項２】
前記環状部材が，二以上の帯状部材を接続することによって形成されたものである請求項１に記載のフラワーサポーター。
【請求項３】
前記帯状部材各々の両端部に，相互に係合する係合部が形成されてなる請求項２に記載のフラワーサポーター。
【請求項４】
前記本体部材の材料及び前記環状部材の材料が，板紙，ダンボール紙，プラスチックダンボール，板竹材，樹脂，合成樹脂，及び発泡樹脂のいずれか，或いはそれらの組み合わせである請求項１〜３のいずれかに記載のフラワーサポーター。
【発明の詳細な説明】
【技術分野】
【０００１】
本発明は，葬儀等において果物や造花等の供物を載置，又は陳列する際に使用される飾り容器であるフラワーサポーターに関するものである。
【背景技術】
【０００２】
例えば特許文献１に示されているように，フラワーサポーター（フラワーリング用スペアボックス）は，葬儀等で果物等の供物を載置，又は陳列する際に使用される飾り容器であり，生花や造花などの他の周辺要素と組合わせて供物を飾るものとして用いられている。葬儀等が終了した際，フラワーサポーターは，載置されていた供物と共に葬儀の弔問に訪れた人々に持ち帰ってもらう場合が多い。そのため，フラワーサポーターのコストはできるだけ安価であることが望ましく，如何に組み立て作業効率を上げて製造コストを抑制するかが課題となっている。
例えば，特許文献２には，一方の部材を他方の部材に嵌めるだけで簡単に組み立てることのできる紙箱が開示されている。ここに，図６は特許文献２の第３図を引用したものである。
図６に示すように，特許文献２に開示された紙箱は，下方から上方に向けて拡開するように形成された中空筒状の台紙１と，底板１６及び舌片１７を有する台紙１５とを有している。台紙１５は，舌片１７が立ち上げられたときに台紙１と同様に下方から上方に向けて拡開するように形成される。
この紙箱は，筒状に形成された台紙１内に，上方から台紙１５を嵌入することによって簡単に組み立てられる。そして，このようにして組み立てられた紙箱では，台紙１及び台紙１５が，共に下方から上方に向けて拡開する形状であるため，台紙１５が台紙１よりも下方に落下することが防止されている。
【特許文献１】特許第２９６７０４０号公報
【特許文献２】実公昭５８−９１５１２号公報
【発明の開示】
【発明が解決しようとする課題】
【０００３】
しかしながら，特許文献２に開示された紙箱は，台紙１５が台紙１に嵌入された後の台紙１５の上方への移動が制限されておらず，台紙１５が簡単に上方にずれるように構成されている。そのため，台紙１５を台紙１に糊付けなどで接着する場合には，その台紙１と台紙１５とが接着するまでの間に，台紙１５が上方にずれるという問題が生じる。特に，特許文献２に開示された紙箱のように，台紙１５が，底板１６から折り曲げられた舌片１７を有している場合には，その舌片１７が折り曲げた状態から戻ろうとする力によって台紙１５が上方にずれやすい。
そのため，特許文献２に開示された紙箱を組み立てる際には，台紙１と台紙１５とが接着するまでの間，作業者がそれらを押さえておくことや，テープやクリップなどの他の部材を用いてそれらを仮止めしておくこと等が必要になり，組み立て作業効率が悪いという問題がある。
また，台紙１と台紙１５とで構成された紙箱内に，例えば果物等の供物を載置したときに，その供物が台紙１５の舌片１７に接触して，該舌片１７に対して外側方向の荷重が作用することがあり，この場合には，台紙１５の舌片１７と台紙１との間に，該台紙１が下方にずれる方向に力が作用するため，台紙１と台紙１５との接合がはずれやすいという問題もある。
従って，本発明は上記事情に鑑みてなされたものであり，その目的とするところは，当該フラワーサポーターを構成する二つの部材を嵌合させた後の位置ズレを簡単な構成で防止することにより，組み立て作業効率を向上させることのできるフラワーサポーターを提供することにある。
【課題を解決するための手段】
【０００４】
上記目的を達成するために，本発明は，第一の多角形状に形成された底板部と，該底板部の周縁部に接続され，該周縁部から上方に折り曲げられたときに該周縁部から上方に向けて拡開状を成す複数の外周板部とを有する本体部材と，
下底が，前記本体部材の底板部と略同一形状であって，上底が，前記底板部の周縁部から上方に折り曲げられた複数の前記外周板部の横断面で形成された少なくとも前記第一の多角形状よりも拡開された第二の多角形状と略同一形状に形成された内部空間を有する環状部材と，を備えてなるフラワーサポーターに適用されるものであって，
前記本体部材が，前記外周板部が上方に折り曲げられたときに前記底板部と略同一平面上において該底板部の周縁部よりも外側に突出する突出部が形成されるように，前記底板部の周縁部から前記外周板部側に向けて形成された切り欠きを有することを特徴とするフラワーサポーターとして構成される。
【０００５】
本発明に係るフラワーサポーターでは，前記本体部材の底板部に形成された突出部が前記環状部材の下底よりも下方に位置するまで，前記本体部材を前記環状部材の内部空間に上方から嵌入させることによって，前記突出部が前記環状部材の下底に接触することになり，前記本体部材の上方への位置ズレ（即ち，前記環状部材の下方への位置ズレ）を防止することができる。なお，前記フラワーサポーターにおいても，前記本体部材及び前記環状部材が共に下方から上方に向けて拡開する形状であるため，前述したように，前記本体部材が前記環状部材よりも下方に落下することは防止される。
このように，本発明によれば，前記底板部の周縁部から前記外周板部側に向けて切り欠きを形成するという簡単な構造によって，前記底板部の周縁部から外側に向けて突出する前記突出部を形成し，前記本体部材及び前記環状部材の上下方向の位置ズレを防止することができる。したがって，前記本体部材及び前記環状部材を嵌合させた後，例えば糊付けによって接着して固定されるまでの間，従来のように作業者が押さえておくことや，他の部材を用いて仮止めしておくこと等の必要がないため，組み立て作業効率を向上させることができ，フラワーサポーターの製造コストを抑制することができる。
また，前記本体部材及び前記環状部材を嵌合させることにより構成された当該フラワーサポーターに例えば果物等の供物を載置したときに，その供物が前記本体部材の外周板部に接触して，該外周板部に対して外側方向の荷重が作用しても，前記環状部材の下方向のズレが前記突出部によって阻止されているため，前記本体部材と前記環状部材との接合がはずれにくいという効果も奏する。
さらに，場合によっては，糊付けなどによって環状部材及び本体部材を接着させることなく，嵌合させるだけでフラワーサポーターとして用いることも可能である。
【０００６】
前記環状部材は，二以上の帯状部材を接続することによって形成されたものであることが考えられる。これにより，前記環状部材として切り出される型板のサイズを小さく出来，材料代を節約することができる。
さらに，前記帯状部材各々の両端部に，相互に係合する係合部が形成しておくことで，組み立て作業者は，二以上の前記帯状部材の組み立てを簡単に行うことができる。
ところで，前記本体部材の材料及び前記環状部材の材料は，板紙，ダンボール紙，プラスチックダンボール，板竹材，樹脂，合成樹脂，及び発泡樹脂のいずれか，或いはそれらの組み合わせであってよい。
【発明の効果】
【０００７】
本発明によれば，前記底板部の周縁部から前記外周板部側に向けて切り欠きを形成するという簡単な構造によって，前記底板部の周縁部から外側に向けて突出する前記突出部を形成し，前記本体部材及び前記環状部材の上下方向の位置ズレを防止することができる。したがって，前記本体部材及び前記環状部材を嵌合させた後，例えば糊付けによって接着して固定されるまでの間，従来のように作業者が押さえておくことや，他の部材を用いて仮止めしておくこと等の必要がないため，組み立て作業効率を向上させることができ，フラワーサポーターの製造コストを抑制することができる。また，前記本体部材及び前記環状部材を嵌合させることにより構成された当該フラワーサポーターに例えば果物等の供物を載置したときに，その供物が前記本体部材の外周板部に接触して，該外周板部に対して外側方向の荷重が作用しても，前記環状部材の下方向のズレが前記突出部によって阻止されているため，前記本体部材と前記環状部材との接合がはずれにくいという効果も奏する。さらに，場合によっては，糊付けなどによって環状部材及び本体部材を接着させることなく，嵌合させるだけでフラワーサポーターとして用いることも可能である。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るフラワーサポーターＸの分解斜視図，図２はフラワーサポーターＸの本体部材２０の展開図，図３はフラワーサポーターＸの環状部材３０を構成する帯状部材３１の展開図，図４はフラワーサポーターＸの本体部材２０及び環状部材３０を嵌合させた状態を示す斜視図である。
まず，図１を用いて，本発明の実施の形態に係るフラワーサポーターＸの概要について説明する。
図１に示すように，フラワーサポーターＸは，底板部２１を有する本体部材２０を，中空環状に形成された環状部材３０に嵌入し，該本体部材２０と該環状部材３０とを糊付けして固定することによって簡単に形成することのできる略有底逆多角錐の皿状の容器である。
本体部材２０は，１４角形状（第一の多角形状の一例）の底板部２１と，該底板部２１の周縁部に接続された錐面であって，前記周縁部から上方に折り曲げられたときに該周縁部から上方に向けて拡開状を成す複数の外周板部２２とを有して略構成されている。
環状部材３０は，二つの帯状部材３１が接続されることによって略構成されており，本体部材２０の外周板部２２と同様に，上方へ向けて拡開状に形成されている。ここで，環状部材３０の内部空間の下底は，本体部材２０の底板部２１と略同一形状に形成されており，上底は，底板部２１の周縁部から上方に折り曲げられた複数の外周板部２２の上端部で形成された１４角形状（第二の多角形状の一例）と略同一形状に形成されている。なお，環状部材３０の内部空間の上底は，外周板部２２の上端部ではなくても，該外周板部２２の横断面で形成された少なくとも底板部２１の１４角形状よりも拡開された１４角形状と略同一形状に形成されていればよい。これにより，本体部材２０を環状部材３０に嵌入した後の該本体部材２０の下方へのずれ（即ち，環状部材３０の上方へのずれ）は防止される。
更に，以下で説明するように，本発明に係るフラワーサポーターＸでは，本体部材２０が環状部材３０に嵌入された後の該本体部材２０の上方へのずれ（即ち，環状部材３０の下方へのずれ）が防止される。
【０００９】
図２の展開図に示すように，本体部材２０は，１４角形状の底板部２１と，該底板部２１の周縁部に折り目２１ａ（ミシン目など）で連続するように接続された複数の外周板部２２とを有している。外周板部２２各々は，底板部２１の周縁部の一辺である下底２３と，該外周板部２２の外周の一辺である上底２４と，下底２３及び上底２４を結ぶ左右の等長の脚２５とによって等脚台形に形成されている。
また，複数の外周板部２２には，折り目２１ａの一部から外周板部２２側に向けて略台形状を成す切り欠き２１ｂを有する外周板部２２ａと，該切り欠き２１ｂを有しない外周板部２２ｂとが交互に含まれている。切り欠き２１ｂは，外周板部２２ａが上方に折り曲げられたときに，底板部２１と略同一平面上において該底板部２１の周縁部よりも外側に突出する突出部２１ｃを形成するためのものである。なお，切り欠き２１ｂの形状は，略台形状に限られず，矩形状や円弧状であってもかまわない。
また，図２には，外周板部２２ａ及び外周板部２２ｂが交互に形成されている例を示しているが，これに限られず，外周板部２２が全て外周板部２２ａであることや，外周板部２２ａがより少ない構成であることも他の実施例として考えられる。
【００１０】
このように構成された本体部材２０は，複数の外周板部２２の脚２５がそれぞれ接触するように，外周板部２２が折り目２１ａで上方に向けて折り曲げられることにより，図１に示すように，底板部２１の周縁部から上方へ拡開する略有底逆多角錐を形成する。
このとき，本体部材２０では，前述したように外周板部２２ａに切り欠き２１ｂが形成されているため，図１に示すように，その切り欠き２１ｂに対応する略台形状の突出部２１ｃが，底板部２１から外側に向けて突出した状態で残ることになる。本発明の実施の形態に係るフラワーサポーターＸでは，本体部材２０に切り欠き２１ｂを形成するという簡単な構成によって，後述するように本体部材２０及び環状部材３０の位置ズレが防止される。
【００１１】
一方，環状部材３０を構成する二つの帯状部材３１各々は，図３に示すように，下底３２及び上底３３とそれらの左右を接続する脚３４とによって形成された等脚台形状の複数の切片板部３５が，該脚３４で連続するように接続して構成された略円弧状の部材である。切片板部３５各々は，本体部材２０の外周板部２２と略同一形状に形成されている。
また，図３に示すように，帯状部材３１の長手方向の両端部には，二つの帯状部材３１を互いに係合させるための雌雄の係合部３１ａ，３１ｂが形成されている。環状部材３０は，二つの帯状部材３１の切片板部３５各々が脚３４で折り曲げられると共に，該帯状部材３１各々の係合部３１ａ，３１ｂが係合されることによって，一体に組み立てられる（図１参照）。このとき，図１に示すように，係合部３１ａ，３１ｂを係合させた状態で，その上から粘着テープ３１ｃで固定することで，環状部材３０の一体化は強固になる。
このように組み立てられた環状部材３０では，図１に示すように，内部空間の下底を形成する複数の下底３２が，本体部材２０の底板部２１と略同一形状の１４角形を形成している。また，環状部材３０の内部空間の上底を形成する複数の上底３３は，本体部材２０の外周板部２２が上方に折り曲げられたときの該外周板部２２の上底２４（上端部）で形成された１４角形と略同一形状に形成されている。
なお，ここでは，環状部材３０が，二つの帯状部材３１に分割されている構成について説明するが，該環状部材３０は，一つの部材或いは三つ以上の部材によって構成されていてもかまわない。
【００１２】
以上のように構成された本体部材２０及び環状部材３０が嵌合されることにより形成されたフラワーサポーターＸが図４に示されている。
具体的に，本体部材２０及び環状部材３０を嵌合させてフラワーサポーターＸを組み立てる際は，環状部材３０の帯状部材３１の下底３２が，本体部材２０に形成された突出部２１ｃよりも上方に位置するまで，本体部材２０を上方から環状部材３０内に嵌入させ，該本体部材２０及び該環状部材３０を糊付けによって固定する。
ここで，本体部材２０の外周板部２２各々は，該本体部材２０が環状部材３０内に嵌入されることにより，底板部２１と外周板部２２とのなす角度が，環状部材３０の切片板部３５がなす角度と等しくなるように上方に折り曲げられる。なお，帯状部材３１は，本体部材２０が環状部材３０に嵌入されたときに，本体部材２０の外周板部２２の上底２４と帯状部材３１の上底３３とが一致するように，切片板部３５の脚３４の長さを，本体部材２０の外周板部２２の脚２５の長さよりも突出部２１ｃの分だけ短く形成しておくことが望ましい。もちろん，本体部材２０の外周板部２２の上底２４と帯状部材３１の上底３３とが一致しなくてもかまわない。
【００１３】
このようにして組み立てられたフラワーサポーターＸでは，図４に示すように，本体部材２０の外周に装着された環状部材３０が，本体部材２０の外周板部２２ａから外側に突出した突出部２１ｃに接触することになるため，該環状部材３０の下方への位置ズレ（本体部材２０の上方への位置ズレ）が防止される。また，前述したように，本体部材２０と環状部材３０とが共に上方に向けて拡開状に形成されていることにより，本体部材２０の下方への位置ズレ（環状部材３０の上方への位置ズレ）は防止されている。即ち，フラワーサポーターＸでは，本体部材２０及び環状部材３０が嵌合されると，該本体部材２０の上方及び下方への移動（即ち，環状部材３０の下方及び上方への移動）が共に制限される。
したがって，従来（例えば，特許文献２参照）のように，本体部材２０及び環状部材３０が糊付けなどで接着するまでの間，作業者がそれらを押さえておくことや，テープやクリップなどの他の部材で仮止めを行うこと等の必要がなくなるため，組み立て作業効率を向上させることができ，ひいてはフラワーサポーターＸの製造コストを抑制することができる。また，本体部材２０及び環状部材３０を嵌合させることにより構成された当該フラワーサポーターＸに例えば果物等の供物を載置したときに，その供物が本体部材２０の外周板部２２に接触して，該外周板部２２に対して外側方向の荷重が作用しても，環状部材３０の下方向のズレが突出部２１ｃによって阻止されているため，本体部材２０と環状部材３０との接合がはずれにくいという効果も奏する。
また，フラワーサポーターＸでは，本体部材２０及び環状部材３０の位置ズレを，該本体部材２０の底板部２１に面一に形成された突出部２１ｃによって防止する構造であるため，該本体部材２０の裏側に不要な空間が形成されず，積み重ねても嵩張らないという重要な効果を奏する。さらに，本体部材２０の裏側に空間がないことは，果物などの供物を沢山載せても，型崩れせず，強靭であることを意味する。
【００１４】
なお，本体部材２０を環状部材３０に嵌入させる際に，突出部２１ｃが環状部材３０の内面に接触することになるため，本体部材２０又は環状部材３０を，少なくとも組み立て時には多少の変形が可能となる材料で形成しておくことが望ましい。
例えば，本体部材２０の材料や環状部材３０の材料には，板紙やダンボール紙，プラスチックダンボール，板竹材，樹脂，合成樹脂，発泡樹脂などのいずれかの材料，或いはそれらの組み合わせを用いればよい。具体的には，本体部材２０の材料にダンボール紙を用いて，環状部材３０に樹脂を用いることが考えられる。
なお，本体部材２０や環状部材３０を樹脂で形成する場合には，加熱することによって軟化させた上で組み立てればよい。また，本体部材２０に，剛性の高い材料を用いる場合には，加熱や水処理などを施すことや，肉厚を薄くすること等によって，外周板部２２の立ち上げ加工時（折り曲げ）の破断を防止することが望ましい。
【００１５】
また，本体部材２０に果物等の供物などが載置されたときに，該本体部材２０の下方向への移動を支持する環状部材３０が長手方向に破断することのないように，該環状部材３０には長手方向の強度が求められる。そのため，環状部材３０の材料にダンボール紙を用いる場合には，該環状部材３０を構成する帯状部材３１の長手方向と，該ダンボール紙の内部に形成された空気溝の形成方向とができるだけ略平行となるように，即ち，帯状部材３１の長手方向に空気溝が形成されるように，該帯状部材３１をダンボール紙から切り出すことが望ましい。これにより，帯状部材３１の長手方向とダンボール紙の空気溝の形成方向とが略垂直となる場合に比べて，破断強度を高めることができる。
なお，環状部材３０に他の材料を用いる場合にも同様に，帯状部材３１が長手方向に破断しにくくなるように，該帯状部材３１の長手方向が，その材料における破断強度が高い方向となるように，帯状部材３１を形成することが望ましい。例えば，木目がある材料では，その木目方向と帯状部材３１の長手方向とが略平行となるように，プラスチック等の形成方向がある材料では，その形成方向と帯状部材３１の長手方向とが略平行となるように，編み込み方向などがある材料では，その編み込み方向のうち破断強度が高い方向と帯状部材３１の長手方向とが略平行となるように，帯状部材３１を形成することが望ましい。
【実施例】
【００１６】
ここに，図５は，本体部材２０及び環状部材３０の変形例である本体部材２０´及び環状部材３０´を示す展開図である。
図５（ａ）に示すように，本体部材２０´では，外周板部２２及び底板部２１に亘って略円状の切り欠き２６が形成されている。一方，図５（ｂ）に示すように，帯状部材３１´では，切片板部３５各々の接続部（脚３４）の下端に半円弧状の切り欠き３６が形成されている。なお，切り欠き２６や切り欠き３６の形状は，矩形状など他の形状であってもかまわない。
このように構成された本体部材２０´と，二つの帯状部材３１´によって形成された環状部材３０とを嵌合させる際には，本体部材２０´に形成された突出部２１ｃが帯状部材３１´の切り欠き３６に位置するように，本体部材２０´をずらして環状部材３０に嵌入させることにより，該突出部２１ｃと環状部材３０の内面との接触を避けることができる。
そして，本体部材２０´を環状部材３０に嵌入させた後，相対的に本体部材２０´及び環状部材３０がずれるように左右に回転させて，外周板部２２と切片板部３５とを合わせる。このとき，本体部材２０´には，切り欠き２６が形成されているため，本体部材２０´及び環状部材３０を簡単にずらして外周板部２２と切片板部３５とを合わせることが可能である。なお，切り欠き２６が形成されていない本体部材２０（図２参照）を用いる場合であっても，環状部材３０´をずらすことができる程度の寸法差を設けておくことや，環状部材３０´をずらすことができる程度の柔軟性を持たせておくことで，同様に外周板部２２と切片板部３５とをずらして合わせることができる。
【図面の簡単な説明】
【００１７】
【図１】本発明の実施の形態に係るフラワーサポーターの分解斜視図。
【図２】本発明の実施の形態に係るフラワーサポーターの本体部材の展開図。
【図３】本発明の実施の形態に係るフラワーサポーターの環状部材を構成する帯状部材の展開図。
【図４】本発明の実施の形態に係るフラワーサポーターの本体部材及び環状部材を嵌合させた状態を示す斜視図。
【図５】フラワーサポーターの本体部材及び環状部材の変形例を示す斜視図。
【図６】従来（特許文献２）のフラワーサポーターの分解斜視図。
【符号の説明】
【００１８】
２０…本体部材
２１…底板部
２１ａ…折り目
２１ｂ…切り欠き
２１ｃ…突出部
２２…外周板部
２３…下底
２４…上底
２５…脚
２６…切り欠き
３０…環状部材
３１…帯状部材
３１ａ，３１ｂ…係合部
３２…下底
３３…上底
３４…脚
３５…切片板部
３６…切り欠き
Ｘ…フラワーサポーター
【図１】
2008188350.tif 000003
【図２】
2008188350.tif 000004
【図３】
2008188350.tif 000005
【図４】
2008188350.tif 000006
【図５】
2008188350.tif 000007
【図６】
2008188350.tif 000008